(57)【要約】      （修正有）【課題】携帯電話に装着する交換レンズであって、川、湖等の水に生息する微生物等を拡大して撮影する作業が容易である交換レンズを提供する。【解決手段】接眼レンズ３１と、対物レンズ３２と、接眼レンズと対物レンズとを互いに固定する鏡筒３４と、鏡筒と携帯電話１０とを、間接的にまたは直接的に係合する係合手段２２と、透明板５０と、鏡筒と透明板との間の間隔を保持する間隔保持具４０とを有し、間隔保持具と透明板との間が防水処理されている。【選択図】図１
2015230356.tif 000002
【特許請求の範囲】
【請求項１】
接眼レンズと；
対物レンズと；
上記接眼レンズと上記対物レンズとを互いに固定する鏡筒と；
上記鏡筒と携帯電話またはカメラ付き電子機器端末とを、間接的にまたは直接的に係合する係合手段と；
透明板と；
上記鏡筒と上記透明板との間の間隔を保持する間隔保持具と；
を有することを特徴とする交換レンズ。
【請求項２】
請求項１において、
上記間隔保持具と上記透明板との間が防水処理され、
上記間隔保持具は、浸水しないように防水処理されていることを特徴とする交換レンズ。
【請求項３】
請求項１において、
上記交換レンズの固定の合焦位置は、上記透明板から見て上記間隔保持具の反対側の位置であり、上記透明板の近傍の位置であることを特徴とする交換レンズ。
【請求項４】
請求項１において、
上記間隔保持具に固定されている透明板と平行に設けられている第２の透明板であって、上記間隔保持具に固定されている透明板から見て、上記間隔保持具と反対側に設けられている第２の透明板を有し、上記間隔保持具に固定されている透明板と上記第２の透明板とが所定間隔で互いに固定されていることを特徴とする交換レンズ。
【請求項５】
請求項４において、
上記間隔保持具に固定されている透明板と上記第２の透明板との間隔は、０．１ｍｍ〜２．０ｍｍであることを特徴とする交換レンズ。
【請求項６】
請求項４において、
上記交換レンズの固定の合焦位置は、上記間隔保持具に固定されている透明板と上記第２の透明板との間のいずれかの位置であることを特徴とする交換レンズ。
【請求項７】
請求項４において、
上記間隔保持具の部位であって、上記交換レンズの光軸と直交する方向の部位が空間であることを特徴とする交換レンズ。
【請求項８】
接眼レンズと；
対物レンズと；
上記接眼レンズと上記対物レンズとを互いに固定する鏡筒と；
上記鏡筒と携帯電話またはカメラ付き電子機器端末とを、間接的にまたは直接的に係合する係合手段と；
起立壁を具備する水保持具と；
上記鏡筒と上記水保持具との間の間隔を保持する間隔保持具と；
を有することを特徴とする交換レンズ。
【請求項９】
請求項８において、
上記交換レンズの固定の合焦位置は、上記水保持具から見て上記間隔保持具側の位置であり、上記水保持具の近傍の位置であることを特徴とする交換レンズ。
【請求項１０】
請求項８において、
上記水保持具は、透明、不透明、半透明のいずれかであることを特徴とする交換レンズ。
【請求項１１】
請求項１において、
焦点距離を調節する焦点距離調整手段を有することを特徴とする交換レンズ。
【発明の詳細な説明】
【技術分野】
【０００１】
本発明は、携帯電話またはカメラ付き電子機器端末に装着する交換レンズに関する。
【背景技術】
【０００２】
携帯電話にカメラ機能が設けられ、このカメラのレンズに、像を拡大する光学系を装着することが知られている（たとえば、特許文献１参照）。
【０００３】
上記従来例では、川、湖などの水中生物を顕微鏡で拡大して撮影する場合、川、湖からの水をスポイトで採取し、この採取した水をプレパラートの上に載せ、このプレパラートを光学系の合焦位置にセットし、拡大撮影する。
【先行技術文献】
【特許文献】
【０００４】
【特許文献１】特開２０１３−１６０９１５号公報
【発明の概要】
【発明が解決しようとする課題】
【０００５】
しかし、従来は、川、湖の水をスポイトで採取する作業、採取された水をプレパラートの上に載せる作業、このプレパラートを光学系の所望の位置に載置する作業が必要であり、水中生物を顕微鏡で拡大して見る全体の作業が煩雑であるという問題がある。
【０００６】
本発明は、携帯電話またはカメラ付き電子機器端末に装着する交換レンズであって、被写体を光学的に拡大する交換レンズを使用した場合、川、湖等の水に生息する微生物等を拡大して撮影する作業が容易である交換レンズを提供することを目的とする。
【課題を解決するための手段】
【０００７】
本発明の交換レンズは、接眼レンズと、対物レンズと、上記接眼レンズと上記対物レンズとを互いに固定する鏡筒と、上記鏡筒と携帯電話とを、間接的にまたは直接的に係合する係合手段と、透明板と、上記鏡筒と上記透明板との間の間隔を保持する間隔保持具とを有することを特徴とする。
【発明の効果】
【０００８】
本発明によれば、携帯電話またはカメラ付き電子機器端末に装着する交換レンズであって、被写体を光学的に拡大する交換レンズを使用した場合、川、湖等の水に生息する微生物等を拡大して撮影する作業が容易であるという効果を奏する。
【図面の簡単な説明】
【０００９】
【図１】本発明の実施例１である交換レンズ１００と携帯電話１０との関係を示す図である。
【図２】交換レンズ１００における間隔保持具４０と透明板５０とを示す斜視図である。
【図３】本発明の実施例２である交換レンズ２００と携帯電話１０との関係を示す図である。
【図４】交換レンズ２００における間隔保持具４０と透明板５０、５１とを示す斜視図である。
【図５】本発明の実施例３である交換レンズ３００と携帯電話１０との関係を示す図である。
【図６】交換レンズ３００における間隔保持具６０と水保持具７０とを示す斜視図である。
【発明を実施するための形態】
【００１０】
発明を実施するための形態は、以下の実施例である。
【実施例１】
【００１１】
図１は、本発明の実施例１である交換レンズ１００と携帯電話１０との関係を示す図である。
【００１２】
図２は、交換レンズ１００における間隔保持具４０と透明板５０とを示す斜視図である。
【００１３】
携帯電話１０は、カメラレンズ１１を有し、携帯電話１０のケースを挟むように挟持手段２０が設けられている。
【００１４】
挟持手段２０には、穴２１が設けられ、穴２１には雌ネジが設けられ、この雌ネジは、挟持手段２０と後述する鏡筒３４とを接合する係合部２２を形成している。なお、穴２１は、カメラレンズ１１の視界を確保するために設けられている開口である。
【００１５】
交換レンズ１００は、交換レンズ主要部３０と、間隔保持具４０と、透明板５０とを有する。
【００１６】
交換レンズ主要部３０は、顕微鏡の光学系の主要部を構成し、接眼レンズ３１と、対物レンズ３２と、鏡筒３４と、係合部３５とを有する。
【００１７】
鏡筒３４は、接眼レンズ３１と、対物レンズ３２とを互いに固定している。
【００１８】
係合部３５は、鏡筒３４の端部に設けられている雄ネジによって構成されている。
【００１９】
つまり、係合部２２、３５と挟持手段２０とが係合手段を形成し、この係合手段は、鏡筒３４と携帯電話１０とを、間接的に係合する手段である。すなわち、鏡筒３４の雄ネジである係合部３５と、挟持手段２０の雌ネジである係合部２２とが螺合することによって、挟持手段２０を介して、鏡筒３４と携帯電話１０とを間接的に結合する。なお、挟持手段２０を介さずに、鏡筒３４と携帯電話１０とを、直接的に係合するようにしてもよい。
【００２０】
間隔保持具４０は、鏡筒３４と透明板５０との間の間隔を所定の長さに保持するものである。そして、間隔保持具４０の下端部４２と透明板５０とが固着され、間隔保持具４０と透明板５０との間が液密であり、間隔保持具４０は、透孔４１以外は、浸水しないようになっている。
【００２１】
また、交換レンズ１００の固定の合焦位置Ｐ１は、透明板５０から見て間隔保持具４０の反対側の位置であり、透明板５０の近傍の位置である。
【００２２】
次に、上記実施例１の動作について説明する。
【００２３】
まず、携帯電話１０に交換レンズ１００が固定されている状態で、間隔保持具４０の一部と、透明板５０の全部とを、図１に示すように、たとえば湖（川、池、海等でもよい）の水Ｗ１に浸す。
【００２４】
そして、水Ｗ１の中に存在している興味ある被写体が、透明板５０を通して、携帯電話１０のディスプレイに写っていれば、シャッターを切る。これによって、水Ｗ１に生息している微生物等を拡大して撮影することができる。
【００２５】
この場合、水Ｗ１に存在している被写体をスポイトで採取する作業、採取した被写体をプレパラート等に載置する作業、このプレパラートを携帯電話１０のレンズの前に載置する作業等、拡大撮影時に従来実行していた作業を必要とせずに、携帯電話１０のディスプレイに写っている被写体についてシャッターを切りさえすれば、被写体を拡大撮影することができる。したがって、携帯電話に装着する交換レンズであって、被写体を光学的に拡大する交換レンズにおいて、川、湖等の水に生息する微生物等を拡大して撮影する作業が容易である。
【００２６】
なお、間隔保持具４０と透明板５０とを一体的に成形するようにしてもよい。この場合、透明板５０が間隔保持部４０から突出している部分（図２中、前後、左右に突出している部分）を削除してもよく、つまり、間隔保持具４０と透明板５０との一体成形品は、立方体または直方体であってもよい。
【実施例２】
【００２７】
図３は、本発明の実施例２である交換レンズ２００と携帯電話１０との関係を示す図である。
【００２８】
図４は、交換レンズ２００における間隔保持具４０と透明板５０、５１とを示す斜視図である。
【００２９】
交換レンズ２００は、交換レンズ１００において、透明板５０の図４中、下に、スペーサ５２を介して透明板５１を設けたものである。透明板５０の図４中、下面と、透明板５１の図４中、上面との間隔ｄ２は、たとえば０．１ｍｍ〜２．０ｍｍである。また、交換レンズ２００の固定の合焦位置Ｐ２は、透明板５０と透明板５１との間のいずれかの位置である。
【００３０】
なお、透明板５０を第１の透明板とすれば、透明板５１は、第２の透明板である。
【００３１】
次に、交換レンズ２００の動作について説明する。
【００３２】
まず、携帯電話１０に交換レンズ２００が固定されている状態で、間隔保持具４０の一部と、透明板５０、５１の全部とを、図３に示すように、たとえば湖（川、池、海等でもよい）の水Ｗ２に浸す。
【００３３】
そして、水Ｗ２の中に存在している興味ある被写体が、透明板５０を通して、携帯電話１０のディスプレイに写っていれば、シャッターを切る。これによって、水Ｗ２に生息している被写体Ｓ２、たとえば水中のプランクトン、みじんこ、藻などの微生物等であって、間隔ｄ２に進入した被写体Ｓ２を拡大して撮影することができる。
【００３４】
この場合、水Ｗ２に存在している被写体をスポイトで採取する作業、採取した被写体をプレパラート等に載置する作業、このプレパラートを携帯電話１０のレンズの前に載置する作業等、拡大撮影時に従来実行していた作業を必要とせずに、携帯電話１０のディスプレイに写っている被写体についてシャッターを切りさえすれば、被写体を拡大撮影することができる。したがって、携帯電話に装着する交換レンズであって、被写体を光学的に拡大する交換レンズにおいて、川、湖等の水に生息する微生物等を拡大して撮影する作業が容易である。
【実施例３】
【００３５】
図５は、本発明の実施例３である交換レンズ３００と携帯電話１０との関係を示す図である。
【００３６】
図６は、交換レンズ３００における間隔保持具６０と水保持具７０とを示す斜視図である。
【００３７】
間隔保持具６０は、全体がほぼコ字状であり、図５中、上部に透孔６１が設けられ、下部に下端部６２を有する。
【００３８】
水保持具７０は、底部７１と、起立壁７２とを有する。底部７１に間隔保持具６０の下端部６２が固着され、起立壁７２の高さｈ３は、たとえば０．１ｍｍ〜２．０ｍｍである。
【００３９】
次に、交換レンズ３００の動作について説明する。
【００４０】
まず、携帯電話１０に交換レンズ３００が固定されている状態で、間隔保持具６０の一部と、水保持具７０の全部とを、たとえば湖（川、池、海等でもよい）の水に浸し、水保持具７０に入っている水をゆっくりと掬い上げる。これによって、水保持具７０には、高さｈ３に相当する水Ｗ３が溜められる。ただ、表面張力によって、水Ｗ３の高さは、高さｈ３よりも高くなる。そして、水保持具７０に溜められた水Ｗ３の中に存在している興味ある被写体が、携帯電話１０のディスプレイに写っていれば、シャッターを切る。
【００４１】
これによって、水Ｗ３に生息している被写体Ｓ３、たとえば水中のプランクトン、みじんこ、藻などの微生物等であって、水保持具７０に溜められ水Ｗ３に存在している被写体Ｓ３を拡大して撮影することができる。
【００４２】
興味ある被写体が、携帯電話１０のディスプレイに写っていなければ、水保持部７０に保持されている水を捨て、間隔保持部６０に固定されている水保持具７０を、水Ｗ３の別の位置に入れ、再びゆっくりと水を掬い上げ、携帯電話１０のディスプレイを覗き込み、興味ある被写体が、携帯電話１０のディスプレイに写っていれば、シャッターを切る。携帯電話１０のディスプレイに写っていなければ、上記動作を繰り返す。
【００４３】
交換レンズ３００によれば、水中の被写体をスポイトで採取する作業、採取した被写体をプレパラート等に載置する作業、このプレパラートを携帯電話１０の拡大レンズの下に載置する作業等、拡大撮影時に従来実行していた作業を必要とせずに、携帯電話１０のディスプレイに写っている被写体についてシャッターを切りさえすれば、被写体を拡大撮影することができる。したがって、携帯電話に装着する交換レンズであって、被写体を光学的に拡大する交換レンズにおいて、川、湖等の水に生息する微生物等を拡大して撮影する作業が容易である。また、何回も水を掬うことが容易であるので、シャッターチャンスが増える。
【００４４】
上記各実施例は、固定焦点であるが、焦点距離を調節することができる構造を採用するようにしてもよい。つまり、上記各実施例において、焦点距離を調節する焦点距離調整手段を有するようにしてもよい。
【００４５】
上記各実施例は、携帯電話に装着する交換レンズである。しかし、携帯電話以外にも、タブレット、タブレット型コンピュータ、ノートパソコン、ｉＰａｄ（登録商標）、ｉＰoｄ（登録商標）等の電子端末機器にカメラが設けられているカメラ付電気端末機器に上記各実施例の交換レンズを設けるようにしてもよい。
【符号の説明】
【００４６】
１００、２００、３００…交換レンズ、
４０…間隔保持具、
５０…透明板、
５１…透明板、
６０…間隔保持具、
７０…水保持具。
【図１】
2015230356.tif 000003
【図２】
2015230356.tif 000004
【図３】
2015230356.tif 000005
【図４】
2015230356.tif 000006
【図５】
2015230356.tif 000007
【図６】
2015230356.tif 000008